(57)【要約】【課題】ＬＥＤを光源として用いた場合においても、適度な輝度を安定して得ることができる自発光視線誘導装置及び視線誘導機能を有する防音壁を提供する。【解決手段】駆体に対する基板２の取付角度により道路利用者の視界へのＬＥＤ１の輝度を調節でき、設置状況に応じて駆体への基板２の取付角度を設定することで適度な輝度を安定して得ることができる。またＬＥＤ１の光軸Ｌ１が基板２と平行となされていることで、駆体に取り付けられた状態でＬＥＤ１の光軸Ｌ１が道路利用者の視線と一致しにくくなり、道路利用者が眩惑を起こす恐れを少なくできる。またかかる発光装置１０を防音壁に適用すれば、建築限界等設置における基準の厳しい防音壁においても容易に適用が可能である。【参照図】        図１【特許請求の範囲】
【請求項１】
基板にＬＥＤの光軸が該基板と平行となるように取り付けられて発光装置が形成され、該発光装置が電源装置と共に駆体に取り付けられていることを特徴とする自発光視線誘導装置。
【請求項２】
前記ＬＥＤは、端子が基板と略垂直に取り付けられ、該端子が途中で略直角に折り曲げられ、前記折り曲げは、基板上に突設され端子取付部が設けられた取付用台座の、前記端子取付部に前記端子が嵌挿されて行われていることを特徴とする請求項１に記載の自発光視線誘導装置。
【請求項３】
前記基板は、ＬＥＤが取り付けられた側の面が、Ｌ値が６０以上の色調となされていることを特徴とする請求項１又は２に記載の自発光視線誘導装置。
【請求項４】
請求項１〜３のいずれかに記載の自発光視線誘導装置が、防音壁を構成する防音パネルに備えられていることを特徴とする視線誘導機能を有する防音壁。
【発明の詳細な説明】
【技術分野】
【０００１】
本発明は、道路に沿って設置され、発光体にＬＥＤを用いて適度な明るさの発光状態を得ることができる自発光視線誘導装置及び自発光視線誘導装置付防音壁に関するものである。
【背景技術】
【０００２】
一般に発光体としてＬＥＤ（発光ダイオード）を用いた自発光式の視線誘導標において、例えば特許文献１に記載の如く、ＬＥＤは道路利用者の視線と相対向する方向に向けて設けられている。また、ＬＥＤが直接視認されて眩しさが感じられる場合には、ＬＥＤの前面に光を拡散する前面板を設けたり、また例えば特許文献２に記載の如く、凸レンズを用いて光源からの放射光を平行光に屈折させ、遠距離視認性を高めると共に光を適度に拡散させて眩しさを抑える方法も採られている。
【０００３】
【特許文献１】特開平９−４１３３０号公報
【特許文献２】特開２０００−８０６１６号公報
【発明の開示】
【発明が解決しようとする課題】
【０００４】
しかしながら、ＬＥＤは一般に蛍光灯などと較べて指向角が小さく、特許文献１に記載の如きものでは、上述の通り直接光源が視界に入ると、眩しさを感じたり、唐突に視線と光軸とが一致したりすると、場合によっては眩惑を起こすこともある。かかる対策として光源の前面に前面板を配置するのでは、光を十分に拡散させるために拡散度合いの大きいものを用いる必要があり、発光輝度が損なわれる恐れがある。また特許文献２に記載の如きものでは、凸レンズを用いる必要があり、構造的に複雑なものとなり形成が煩雑なものとなり、また光源と凸レンズとの距離がずれた場合に所望の効果が得られなくなる恐れもある。
【０００５】
本発明は上記の如き課題に鑑みてなされたものであり、ＬＥＤを光源として用いた場合においても、適度な輝度を安定して得ることができる自発光視線誘導装置及び視線誘導機能を有する防音壁を提供せんとするものである。
【課題を解決するための手段】
【０００６】
上記課題を解決するため、本発明は以下のような構成としている。すなわち、本発明に係わる自発光視線誘導装置は、基板にＬＥＤの光軸が該基板と平行となるように取り付けられて発光装置が形成され、該発光装置が電源装置と共に駆体に取り付けられていることを特徴とするものである。
【０００７】
また前記ＬＥＤは、端子が基板と略垂直に取り付けられ、該端子が途中で略直角に折り曲げられ、前記折り曲げは、基板上に突設され端子取付部が設けられた取付用台座の、前記端子取付部に前記端子が嵌挿されて行われていることを特徴とするものである。
【０００８】
また前記基板は、ＬＥＤが取り付けられた側の面が、Ｌ値が６０以上の色調となされていることを特徴とするものである。
【０００９】
また本発明に係わる視線誘導機能を有する防音壁は、本発明請求項１〜３のいずれかに記載の自発光視線誘導装置が、防音壁を構成する防音パネルに備えられていることを特徴とするものである。
【発明の効果】
【００１０】
請求項１に記載の本発明に係わる自発光視線誘導装置によれば、駆体に対する基板の取付角度により道路利用者の視界へのＬＥＤの輝度を調節でき、設置状況に応じて駆体への基板の取付角度を設定することで適度な輝度を安定して得ることができる。またＬＥＤの光軸が基板と平行となされていることで、駆体に取り付けられた状態でＬＥＤの光軸が道路利用者の視線と一致しにくくなり、道路利用者が眩惑を起こす恐れを少なくできる。
【００１１】
また請求項２の発明によれば、取付用台座を用いて端子を略直角に折り曲げることで、折り曲げの作業が容易となると共に、取り付け後も取付用台座により略直角の折り曲げ部は安定して保持され好ましい。
【００１２】
また請求項３の発明によれば、基板がＬ値が６０以上の色調となされていることで、基板の表面で光が反射されて散乱光となり、発光輝度を高めることができ好ましい。
【００１３】
また請求項４に記載の本発明に係わる視線誘導機能を有する防音壁によれば、基板を電源装置と共に防音パネルに取り付けるだけで、夜間における高い視線誘導効果を得ることができ、また発光装置を構成するのがＬＥＤと基板で防音パネルの外面からほとんど突設させる必要がなく、建築限界等設置における基準の厳しい防音壁においても容易に適用が可能となり得る。
【発明を実施するための最良の形態】
【００１４】
本発明に係わる最良の実施の形態について、図面に基づき以下に具体的に説明する。
図１は、本発明に係わる自発光視線誘導装置の、実施の一形態を示す説明図である。基板２にＬＥＤ１の端子は半田付けＨにより基板２と垂直に取り付けられ、端子１１の途中が折り曲げ部１２において略直角に折り曲げられてＬＥＤ１の光軸Ｌ１が基板２と略平行となされている。折り曲げ部１２の形成には、基板２から突設された取付用台座３が用いられ、端子１１の折り曲げ部１２より上方は取付用台座３に刻設された溝状の端子取付部３１に嵌挿されている。基板２に対し、かかる取付用台座３を用いて複数のＬＥＤ１が適宜間隔をおいて取り付けられることで発光装置１０が形成される。
【００１５】
基板２に取り付けられたＬＥＤ１は、発光方向が道路利用者と相対向する向きとなされ、発光装置１０による視線誘導は主としてＬＥＤ１の光軸Ｌ１から外れ基板２と反対側の方向に放射された光Ｌ２によって行われる。道路利用者の視線と、光軸Ｌ１付近の光の方向が一致しないようになされていることで、唐突なＬＥＤ１からの光によって道路利用者が感じる眩しさを軽減している。また基板２の、ＬＥＤ１が配置される側の面は、基板２の形成時に顔料を添加するか、基板２の成形後に塗装する等の方法で、白色や黄色、又はそれに近似するＬ値が６０以上の色調となされ、ＬＥＤ１の光軸Ｌ１から外れた方向の、基板２の側に放射された光Ｌ３が反射光Ｌ４となって放射されることで、光軸Ｌ１周辺の光を用いることを少なくして発光装置１０の発光輝度を高めることができる。
【００１６】
図２は、取付用台座３を用いた折り曲げ部１２の形成の一例を示す側面図である。まず、ＬＥＤ１の端子１１に取付用台座３に設けられた端子取付部３１に嵌挿され、その状態で端子１１と基板２とが半田付けＨがなされてＬＥＤ１が基板２に取り付けられる。イ）に示す如く、取付用台座３の端子取付部３１は下端からの高さがＬＥＤ１を取り付ける所望の高さとなされ、ＬＥＤ１が基板２に取り付けられた状態で、取付用台座３を矢印Ｙ１方向に回動させると、端子１１が端子取付部３１の上面で押しつけられて曲がり、折り曲げ部１２が形成される。
【００１７】
図３は、図１に示した発光装置１０の、駆体への取付状態を示す説明図である。駆体は支柱Ｓ間に取り付けられた防音パネル２０であり、支柱Ｓ及び防音パネル２０によって低層型の防音壁が形成されている。防音パネル２０の前面側を凹ませて溝状の発光装置の取付部２０１が設けられ、この取付部２０１に発光装置１０が挿入されて取り付けられる。防音パネル２０内には、ＬＥＤ１を発光させるための電源装置（図示せず）が内蔵されている。発光装置１０の基板２を防音パネル２０の前面とすることで、ＬＥＤ１の光軸Ｌ１は防音パネル２０と略平行となされるが、設置の状況に応じて基板２の防音パネル２０への取付角度を調整することで、視線誘導に用いられる光軸Ｌ１付近の光の量を調節して任意の発光輝度を得ることができる。
【００１８】
図４は、本発明に係わる視線誘導機能を有する防音壁の、実施の一形態を示す平面図である。道路Ｒに沿って図３に示した支柱Ｓ及び支柱Ｓ間に配置された防音パネル２０が設置されて低層型の防音壁Ｂが延設され、防音パネル２０に発光装置１０が取り付けられている。発光装置１０と、道路Ｒを走行する車両Ｃの運転者の視線とが角度θをなしていることで、光軸Ｌ１が防音パネル２０と概ね平行となされたＬＥＤ１の光軸Ｌ１付近の光が直接車両Ｃの運転者の視線と一致する恐れを少なくでき、眩惑等の発生を未然に防止できる。
【００１９】
本発明に係わる自発光視線誘導装置は、上述の如く防音壁を構成する防音パネルに取り付けられて好適に用いられるが、道路に沿って延設され壁面を有するものであれば適用の余地があるものであり、例えば他に防音壁を構成する笠木、下段パネルや、壁高欄、道路掘割部等の道路側壁、鋼製高欄などに適用することが可能である。
【図面の簡単な説明】
【００２０】
【図１】本発明に係わる自発光視線誘導装置の、実施の一形態を示す説明図である。
【図２】取付用台座を用いた折り曲げ部の形成の一例を示す側面図である。
【図３】本発明に係わる発光装置の、防音壁への取付状態の一例を示す説明図である。
【図４】本発明に係わる視線誘導機能を有する防音壁の、実施の一形態を示す平面図である。
【符号の説明】
【００２１】
１    ＬＥＤ
１１  端子
２    基板
２１  ＬＥＤが取り付けられる側の面
３    取付用台座
３１  端子取付部
１０  発光装置
２０  防音パネル（駆体）
Ｂ    防音壁
【図１】
2005082984.tif 000002
【図２】
2005082984.tif 000003
【図３】
2005082984.tif 000004
【図４】
2005082984.tif 000005